【事件の表示】
　特願２０００−３４４４８６「カートリッジを利用してユーザに利益を供与する画像形成システム」拒絶査定不服審判事件〔平成１４年　３月２２日出願公開、特開２００２−　８３０９７、請求項の数（２）〕について、次のとおり審決する。
【結　論】
　原査定を取り消す。
　本願の発明は、特許すべきものとする。
【理　由】
１．手続の経緯
　本願は、特許法第４１条に基づく優先権主張を伴う平成１２年１１月１０日（優先日：平成１２年１月１９日、出願番号：特願２０００−１４０５０号　優先日：平成１２年６月２８日、出願番号：特願２０００−１９４４４２号）の出願であって、平成１６年２月２６日付で拒絶査定がなされ、これに対し、同年４月５日に拒絶査定に対する審判請求がなされるとともに、同年５月６日付で手続補正がなされた。その後、当審において、当該手続補正が平成１８年４月１２日付の補正却下の決定により却下された後、同年４月２４日付で拒絶理由が通知され、同年６月２３日付で手続補正がなされ、さらに、同年８月１５日付で拒絶理由が通知され、同年９月１３日付で手続補正がなされたものである。
　
２．本願発明
　本願の請求項１，２に係る発明（以下、「本願発明」という。）は、平成１８年９月１３日付の手続補正書により補正された明細書及び図面の記載からみて、その特許請求の範囲の請求項１，２に記載された次のとおりのものである
「【請求項１】
　インクカートリッジを交換可能に装着した画像形成装置を有するクライアントからの要求に応じて、情報提供用サーバからオンラインで情報を提供する情報提供方法であって、
　前記インクカートリッジには、記憶素子が備えられ、該記憶素子には、インクカートリッジＩＤ及びＵＲＬが格納されており、
　前記クライアントが、前記インクカートリッジの記憶素子から前記インクカートリッジＩＤ及び前記ＵＲＬを読み出すステップと、
　前記クライアントが、前記ＵＲＬを使用して前記情報提供用サーバにアクセスするステップと、
　前記クライアントが、前記インクカートリッジＩＤを前記情報提供用サーバに送信するステップと、
　前記情報提供用サーバが、前記クライアントからの前記ＵＲＬを使用したアクセスを受け、前記クライアントからの前記インクカートリッジＩＤに応じたＷＥＢページであって、複数のサンプル印刷データのサムネイル画像を選択可能に表示するサンプル印刷データ提供用ＷＥＢページを前記クライアントに送信するステップと、
　前記クライアントが、前記画像形成装置の印刷環境を表す印刷環境情報を前記画像形成装置から読み出して前記情報提供用サーバに送信するステップと、
　前記クライアントが、前記情報提供用サーバからのサンプル印刷データ提供用ＷＥＢページを表示し、該サンプル印刷データ提供用ＷＥＢページにある複数のサンプル印刷データのサムネイル画像の中から、ユーザ所望のサムネイル画像の選択をユーザから受けるステップと、
　前記情報提供用サーバが、前記ユーザから前記クライアントを通じて選択されたサムネイル画像と、前記クライアントからの印刷環境情報とに基づいて、それらに適した複数の印刷モードと複数の印刷メディアとを表す情報を前記クライアントに送信するステップと、
　前記クラアントが、前記情報提供用サーバからの前記複数の印刷モードと複数の印刷メディアとを表す情報を表示し、該表示された複数の印刷モードと複数の印刷メディアとを表す情報の中から、ユーザ所望の印刷モードと印刷メディアの選択を前記ユーザから受けるステップと、
　前記情報提供用サーバが、前記ユーザから前記クライアントを通じて選択された印刷モードと印刷メディアに基づいて、前記クライアントで選択されたサムネイル画像に対応する画像の印刷データを生成し、生成した印刷データを前記クライアントに送信するステップと、
　前記クライアントが、前記情報提供用サーバから受信した前記印刷データをそのまま前記画像形成装置に供給するステップと、
　前記画像形成装置が、前記情報提供用サーバから前記クライアントを介して受信した印刷データを処理して印刷するステップと
を備える情報提供方法。
【請求項２】
　インクカートリッジを交換可能に装着した画像形成装置を有するクライアントからの要求に応じて、情報提供用サーバからオンラインで情報を提供するシステムであって、
　前記インクカートリッジには、記憶素子が備えられ、該記憶素子には、インクカートリッジＩＤ及びＵＲＬが格納されており、
　前記クライアントが、
　前記インクカートリッジの記憶素子から前記インクカートリッジＩＤ及び前記ＵＲＬを読み出す手段と、
　前記読み出したＵＲＬを使用して前記情報提供用サーバにアクセスする手段と、
　前記読み出したインクカートリッジＩＤを前記アクセス先の情報提供用サーバに送信する手段と、
　前記画像形成装置の印刷環境を表す印刷環境情報を前記画像形成装置から読み出す手段と、
　前記読み出した印刷環境情報を前記アクセス先の情報提供用サーバに送信する手段と、
　前記インクカートリッジＩＤに応じたＷＥＢページであって、複数のサンプル印刷データのサムネイル画像を選択可能に表示するサンプル印刷データ提供用ＷＥＢページを前記情報提供用サーバから受信した場合、該受信したサンプル印刷データ提供用ＷＥＢページを表示する手段と、
　前記表示したサンプル印刷データ提供用ＷＥＢページにおける前記複数のサンプル印刷データのサムネイル画像の中から、ユーザ所望のサムネイル画像の選択をユーザから受ける手段と、
　複数の印刷モードと複数の印刷メディアとを表す情報を前記情報提供用サーバから受信した場合、前記受信した複数の印刷モードと複数の印刷メディアとを表す情報を表示する手段と、
　前記表示された複数の印刷モードと複数の印刷メディアとを表す情報の中から、ユーザ所望の印刷モードと印刷メディアの選択を受ける手段と、
　前記情報提供用サーバから印刷データを受信し、その印刷データをそのまま前記画像形成装置に送信する手段と
を備え、
　前記画像形成装置が、
　前記情報提供用サーバから前記クライアントを介して受信した印刷データを受信する手段と、
　前記受信した印刷データを処理して印刷する手段と
を備え、
　前記情報提供用サーバが、
　前記クライアントからの前記ＵＲＬを使用したアクセスを受け、前記クライアントからの前記インクカートリッジＩＤに応じたＷＥＢページであって、複数のサンプル印刷データのサムネイル画像を選択可能に表示する前記サンプル印刷データ提供用ＷＥＢページを前記クライアントに送信する手段と、
　前記ユーザから前記クライアントを通じて選択されたサムネイル画像と、前記クライアントからの印刷環境情報とに基づいて、それらに適した複数の印刷モードと複数の印刷メディアとを表す情報を前記クライアントに送信する手段と、
　前記ユーザから前記クライアントを通じて選択された印刷モードと印刷メディアに基づいて、前記クライアントで選択されたサムネイル画像に対応する画像の印刷データを生成する手段と、
　前記生成した印刷データを前記クライアントに送信する手段と
を備える、
システム。」
　
３．優先日
　本願発明は、本願明細書の第７〜１０段落、第２９〜４１段落、第１４８〜１９８段落の記載に基づいており、この記載は特願２０００−１９４４４２号の明細書の第２〜６８段落に記載されたものであり、特願２０００−１４０５０号の明細書には記載されていないから、優先日は、特願２０００−１９４４４２号の出願日である平成１２年６月２８日である。
　
４．原査定の理由
　原審における平成１５年５月２７日付の拒絶の理由の概要は以下のとおりである。
理由Ａ：略
理由Ｂ：略
理由Ｃ：この出願の請求項１乃至５２に係る発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
引用文献等一覧
引用文献１：特開平８−３０５９１１号公報
引用文献２：特開平７−１７５３７０号公報
引用文献３：特開平１１−２０３０８７号公報
引用文献４：特開平１１−３４２６２３号公報
引用文献５：特開平１１−０７３５７６号公報 
引用文献６：特開平１１−３２７８２８号公報 
　
　また、拒絶査定において、以下の文献が周知文献として挙げられている。
引用文献７：特開平１１−２６８３８５号公報
引用文献８：特開平１１−２７１３３７号公報
　
５．当審の拒絶の理由
　当審において通知した平成１８年４月２４日付の拒絶の理由は、概略、下記のとおりである。
　　　　記（当審の拒絶の理由）
理由１：略
理由２：略
理由３：本件出願の請求項１乃至１２に係る発明は、その出願前日本国内において頒布された刊行物（刊行物一覧参照）に記載された発明に基づいて、その出願前にその発明の属する技術の分野における通常の知識を有する者が容易に発明をすることができたものであるから、特許法第２９条第２項の規定により特許を受けることができない。 
　　　　記 （刊行物一覧）
刊行物１：特開平１０−３２３９９９号公報 
刊行物２：特開平１１−３０６１３９号公報 
刊行物３：特開２０００−１５３６５３号公報 
刊行物４：特開平１１−２０３０７９号公報 
刊行物５：特開平８−１２３６３５号公報 
刊行物６：特開平１１−７３２９５号公報 
刊行物７：特開平１１−３４３５９号公報 
　
６．当審の判断
（１）引用文献及び刊行物に記載された事項
　原査定の拒絶の理由に引用された引用文献１乃至６、拒絶査定で挙げられた引用文献７，８、及び、当審の拒絶の理由に引用した刊行物１乃至７には、以下のことが開示されている。
［引用文献１］
　データキャリアを入場券として用い、発券時にデータキャリアに当選データを記憶しておき、回収時に当該当選データに基づいてユーザに賞金、景品など回収に伴うインセンティブを与えること。（請求項８）
［引用文献２］
　プリンタに不揮発性メモリーを備えたカートリッジを装着し、不揮発性メモリーに印刷枚数等のカートリッジに関係するデータを書き込み、使用後に回収すること。（第１２段落）
［引用文献３］
　ブラウザにプリンタの各種設定のためのボタンを有し、その一つとしてメーカーのホームページを開いて、サポート情報を表示するためのボタンがある。（第３８段落）
［引用文献４］
  インクカートリッジにメモリを設け、インクの使用量データをメモリに記憶させること。（請求項４）
［引用文献５］
  番号付きの整理券を印刷発行し、整理券の番号範囲内で当選番号を抽出し、整理券番号が当選番号に一致しているか否かを照会し、照会済の整理券については照会済であることを記憶しておくこと。（請求項１）
［引用文献６］
  プリンタに通信回線を介してプリンタドライバをインストールすること。（請求項１）
［引用文献７］
　カートリッジの交換等を行った後にテスト印刷を行うこと。（第７６段落）
［引用文献８］
　走査型プローブ顕微鏡の光プローブ。
［刊行物１］
　互いに接続されたホストプロセッサとプリンタと、ホストプロセッサが通信可能に接続することができるインターネットウェブサイトとを用いるシステムにおいて、 
　プリンタには、メモリチップを有する交換可能なインクカートリッジが装着され、 
　前記インクカートリッジのメモリチップには自動接続するためのインターネットウェブサイトのアドレスが格納されており、 
　前記プリンタが、 
　前記インクカートリッジのメモリチップから前記アドレスを読出すマイクロプロセッサと、 
　前記ホストプロセッサが、 
　前記アドレスを使用して、そのアドレスが指し示す前記インターネットウェブサイトにアクセスし、自動接続する 
　システム。 （第１２，１７〜１９段落）
［刊行物２］
　インターネットのホームページの閲覧にあたって、ブラウザがサーバからパスワードの要求を受付け、要求に従ってパスワードをサーバに送信し、ホームページを閲覧可能とすること。（請求項１） 
［刊行物３］
　コンピュータからプリンタに印刷データを出力する際に、プリンタのインクカートリッジの種類に応じた色処理テーブルを用いて印刷データを変換すること。（第３４，３５段落）
［刊行物４］
　メーカサーバが、ユーザサーバからの要求に応じてプリンタ制御ソフトの更新の有無を判断し、更新が必要な場合、プリント制御ソフトをユーザサーバに送信すること。（請求項４）
［刊行物５］
　プリントドライバにプリンタファームウェアを保持しておき、ファームウェアのバージョンアップは、プリンタドライバを変更することにより行うこと。（第５２段落）
［刊行物６］
　プリンタの特性に基づいて、画像データの色変換処理を行うこと。（請求項４）
［刊行物７］
　プリンタのインクカートリッジの使用期間に応じて印刷データを修正すること。（請求項１）
　
（２）本願発明と引用文献１乃至８及び刊行物１乃至７に記載された発明との対比・検討
　引用文献１乃至８及び刊行物１乃至７のいずれも、本願発明が備える下記の構成を開示しもしくは示唆するものではない。
　　　　記（本願発明が備える構成）
　情報提供用サーバが、インクカートリッジに応じたサムネイル画像をクライアントに送信し、ユーザからクライアントを通じて選択されたサムネイル画像、印刷モード、印刷メディアに基づいて、印刷データを生成し、生成した印刷データを前記クライアントに送信し、クライアントが、受信した印刷データをそのまま画像形成装置にサンプル画像として供給すること。
　
　そして、本願発明は前記構成により、情報提供用サーバが、インクカートリッジに適したサンプル画像を印刷環境情報に基づいて生成し、生成されたサンプル画像は、プリンタに直接供給されるので、クライアントに負荷をかけることなく最適なサンプル画像の印刷ができるとの効果を奏するものである。
　
　よって、本願発明は、上記引用文献１乃至８及び刊行物１乃至７に記載された各発明に基づいて当業者が容易に発明をすることができたものであるということはできない。
　
７．むすび
　以上のとおりであるから、本願発明が特許法第２９条第２項の規定により特許を受けることができないものとする原査定の理由によっては本願を拒絶することはできない。 
　また、他に本願を拒絶すべき理由を発見しない。
　よって、結論のとおり審決する。